(57)【要約】【課題】  ディジタル放送音声番組で、伝送する情報の量を大幅に増やすことなく文字や静止画などの音声番組の内容を補足する情報を多重して伝送することで、番組のサービス性を高める。【解決手段】  複数のデータストリームに番組番号を付加すると共に多重化してビットストリームを得る多重化手段を有する送信手段と、一つのビットストリームから所望のデータストリームを分離する多重分離手段と、データストリームを音声，映像及び情報信号に各々復元するデコード手段と、多重分離手段とデコード手段とを制御する制御ＣＰＵとを含む受信手段で、音声情報に文字情報や画像情報その他の情報を間欠的かつ非同期に多重して伝送する。【選択図】  図１
2007215212.tif 000002
【特許請求の範囲】
【請求項１】
ディジタル変換された音声，映像及び各種情報を同一規格の多重方式に基づいて多重して伝送し、前記ディジタル変換され多重された音声、前記映像及び各種情報をデコードして所望の情報を分離，再生するディジタル放送の送信及び受信システムにおいて、
音声の視聴を目的とした番組を伝送する際に、送信側で前記音声番組の内容を補足する情報を多重して送信すると共に、受信側で前記音声番組を選択することにより連動して前記音声番組の内容を補足する情報をデコードして表示する構成としたことを特徴とするディジタル放送の送信及び受信システム。
【請求項２】
音声の視聴番組を伝送する際に、送信側で前記音声番組の内容を補足する文字情報を同一規格に基づいて多重して送信し、受信側で前記音声番組を選択することにより連動して前記多重された文字情報をデコードして表示する構成とした請求項１に記載のディジタル放送の送信及び受信システム。
【請求項３】
音声の視聴を目的とした番組を伝送する際に、送信側で前記音声番組の内容を補足する映像情報を同一規格に基づいて多重して送信し、受信側で前記音声番組を選択することにより連動して前記多重された映像情報をデコードして表示する構成とした請求項１に記載のディジタル放送の送信及び受信システム。
【請求項４】
請求項１，２または３で、前記文字情報または映像情報を音声情報に間欠的かつ非同期に多重したディジタル放送の送信及び受信システム。
【請求項５】
前記映像情報は静止画像である請求項３に記載のディジタル放送の送信及び受信システム。
【請求項６】
前記受信側は、選択した音声番組の視聴中は、多重されている文字情報あるいは映像情報に時間情報を同一規格に基づいて多重して伝送し、前記文字情報あるいは映像情報と共に前記時間情報のデコードを行い前記文字情報あるいは映像情報を前記時間情報に基づいて表示する構成とした請求項１，２または３に記載のディジタル放送の送信及び受信システム。
【請求項７】
前記情報はソフトウェア及び番組関連情報データであり、前記受信側は前記ソフトウェア及び番組関連情報データの処理手段を有し、音声番組を選択することにより前記多重されたソフトウェアと番組関連情報データをデコードし、前記ソフトウェア及び番組関連情報データの処理手段を用いて処理して、前記処理結果を表示する構成とした請求項１に記載のディジタル放送の送信及び受信システム。
【発明の詳細な説明】
【技術分野】
【０００１】
本発明は、ディジタル放送の送信及び受信システムに係り、特に音声番組の視聴を目的とした放送の送信及び受信システムに関する。
【背景技術】
【０００２】
従来の画像，音声データを多重して伝送する方法としては、例えば特開平６−２７６５０８号公報に記載されているように、連続した画像データと音声データを常に多重して伝送する方法が知られている。
【発明の開示】
【発明が解決しようとする課題】
【０００３】
ディジタル放送の特徴は、ディジタル化した映像，音声、及び文字情報等の多様な付加情報を多重化して同時に送信することができることにある。さらに、ディジタル方式特有の誤り訂正技術を適用することで高品質の画像や音声を伝送できるなどの特徴がある。
【０００４】
このようなディジタル放送について述べられた従来技術では、テレビジョン放送のように映像と音声を視聴する場合が示されている。これに対し、音声の視聴が主目的である音声放送のサービス提供方法については述べられていなかった。
【０００５】
本発明の目的は、ディジタル放送における音声放送で、サービス性の向上を図ったディジタル放送の送信及び受信システムを提供することにある。
【課題を解決するための手段】
【０００６】
本発明では、上記目的を達成するために、送信側で音声番組のデータストリームに静止画または文字情報等のデータストリームを多重化手段によって間欠的かつ非同期に多重してビットストリームを生成し、送出すると共に、受信側では多重分離手段を用いて多重されたビットストリームから所望の音声番組と静止画または文字情報等のデータストリームを分離して各々再生する構成とした。
【０００７】
上記で静止画または文字情報は間欠的かつ非同期に多重するので伝送するビットストリームのデータ量の増加を抑え、また音声情報と静止画または文字情報が正確に同期している必要はないので静止画または文字情報を任意のタイミングで音声に多重できる。
【０００８】
これにより、音声番組を視聴する際に静止画や文字その他の補足情報を同時に表示できるので多様なサービスを視聴者に提供することができる。
【発明の効果】
【０００９】
本発明によれば、音声の視聴を目的とした音声番組をディジタル放送で伝送し再生する際に文字情報や画像情報その他の情報を多重して伝送することで、音声番組のサービス性を向上することができる。
【発明を実施するための最良の形態】
【００１０】
本発明の実施例を図面を用いて説明する。
【００１１】
図１は送信側のブロック構成を示す図面、図２は信号を受信する受信手段の構成例を示す図面、図３は伝送するデータの多重の形式の例を示す図面である。尚、本実施例では人工衛星を経由して放送する衛星放送システムについて説明するが、本発明の利用を衛星放送に限定するものではなく、例えばケーブルを用いた放送や送信側のアンテナから各受信手段に接続されたアンテナに直接送信する地上放送等に適用してもよい。
【００１２】
図１で、１０１，１０２，１０３は例えば音声，画像及び文字のデータストリームをそれぞれ供給するデータ供給手段、４００は複数種類の入力ディジタル信号を多重化する多重化手段、５００は伝送に伴う誤りを受信側で訂正するための誤り訂正符号付加手段、６００は変調手段であり、変調手段６００の出力は送信アンテナ（図示せず）によって送信される。
【００１３】
送信アンテナから送信された電波は、人工衛星（図示せず）を介して図２の受信手段に接続されたアンテナ（図示せず）で受信される。図２で、１はアンテナ入力端子、２は復調手段、３は誤り訂正手段、５は多重された信号を分離する多重分離手段、６は制御ＣＰＵ、７は制御ＣＰＵ用のプログラムを記憶したプログラム格納ＲＯＭ、８は制御ＣＰＵ６のデータ処理用ＲＡＭ、９は文字フォントを記憶した漢字ＲＯＭ、１０は蛍光表示管あるいは液晶パネル等の表示デバイス、１１は圧縮されている映像情報を伸長するビデオデコーダ、１２は圧縮されている音声情報を伸長するオーディオデコーダ、１３はビデオデコーダ１１の出力信号に文字情報を付加するＯＳＤ（On Screen Display）回路、１４はディジタル信号をアナログ信号に変換すると共に同期情報などを付加するビデオエンコーダ、１５はディジタルの音声情報をアナログ信号に変換するＤ／Ａコンバータ、１６は映像表示手段（図示せず）への出力端子、１７は音声出力手段（図示せず）への出力端子、２０はＩＣカード（図示せず）との接続端子、２１はＩＣカードインターフェース（Ｉ／Ｆ）である。
【００１４】
図１で、データ供給手段１０１，１０２，１０３から供給されるデータストリームは、図３の例に示すように各データストリーム７０１，７０２，７０３に一つの番組の情報であることを示す番組番号を付加して得たデータストリーム８０１，８０２，８０３を多重化手段４００で多重することで一つのビットストリーム９０１に変換する。次に、誤り訂正符号付加手段５００によって伝送に伴う誤りを受信側で訂正するための誤り訂正符号を付加し、変調手段６００によって変調を行って送出する。
【００１５】
次に図２に示す受信手段の動作を説明する。アンテナ入力端子１から入力された信号は復調手段２によって復調される。復調手段２で復調された信号は、誤り訂正手段３によって信号に付加されている誤り訂正符号に基づいて誤り訂正が行われる。次に、多重分離手段５によって視聴する番組の信号が分離されて出力される。また、多重分離手段５はＣＨ情報，視聴情報，番組情報，時間情報などを信号から抽出して制御ＣＰＵ６に印加する。図２で、制御ＣＰＵ６はプログラム格納ＲＯＭ７からプログラムを読み出し、データをＲＡＭ８を用いて処理することでプログラムを実行する。漢字ＲＯＭ９には文字を画像として表示するために必要なデータが記憶され、ビットストリーム９０１から分離し、あるいは抽出して得た文字コードに対応する文字データが制御ＣＰＵ６によって読み出される。表示デバイス１０は制御ＣＰＵ６からの信号によって、現在視聴している番組のＣＨ番号などの表示を行う。
【００１６】
多重分離手段５によって分離された信号のうち、画像情報はビデオデコーダ１１に、音声情報はオーディオデコーダ１２にそれぞれ印加される。ビデオデコーダ１１とオーディオデコーダ１２はそれぞれ圧縮されたデータを伸長して圧縮前のディジタル信号を再生する。ビデオデコーダ１１の出力は文字情報を付加するＯＳＤ手段１０を経由して、ディジタル信号をアナログ映像信号に変換するビデオエンコーダ１４に印加される。一方、オーディオデコーダ１２の出力ディジタル信号はＤ／Ａ変換器１５に印加され、アナログ音声信号に変換される。これによって送信側から送られたアナログ映像信号とアナログ音声信号が再生され、表示手段１６と音声出力手段１７に出力される。
【００１７】
音声の視聴を目的とした番組を送信及び受信する場合について更に詳しく説明する。音声は映像に比べて情報量が少ないので、特に動画を主体としたテレビジョン放送における番組を送信する場合に比べて、一定の帯域の範囲のなかでより多数の番組を伝送することができる。反面、現在視聴している音楽の曲名や作曲者名などを知りたいのにすぐにはわからないなどの事態が生じることがある。このような場合、例えば、図４のビットストリーム９０２に示すように同じ番組番号で音声以外の文字情報や静止画を間欠的に多重して送信し、受信側では例えば図５や図６の表示例に示すような文字情報や静止画を所定の期間表示することで、伝送する情報量の増加を抑えながら番組のサービス性を高めることができる。
上記で音声情報と文字情報または画像情報はテレビジョン放送の映像と音声のように正確に同期している必要は無いため、図５や図６に示すような付加情報は任意のタイミングで伝送することができる。すなわち、例えば送信側の操作者（アナウンサーや音楽番組のディスクジョッキーなど）が任意のタイミングで静止画送出の操作を行って伝送する。
【００１８】
図４では音声とは異なるデータストリームを音声情報のデータストリームに多重して伝送し再生する例を示したが、図７に例を示す他の方法で伝送してもよい。図７はＭＰＥＧ２（Moving Picture Experts Groupe 2）−Systemsで規定されたトランスポートストリームパケット（ＴＳＰ）の構成の概略を示す図である。図７で、９０３はＴＳＰのデータ内容その他のＭＰＥＧ２−Systemsで規定された情報が記述されたヘッダ、９０４は拡張ヘッダであって送信者が決めた情報を記述できる部分、９０５は音声または映像などのデータから構成されるペイロードである。図７に示す例では、音声番組を伝送する場合、音声データはペイロード９０５で伝送し、付加的な情報である文字情報などは拡張ヘッダ９０４で伝送するものである。上記で示した方法により、音声情報と異なるデータストリームを多重しなくても音声番組の補足情報を送信することができる。
【００１９】
このように、本実施例によればディジタル放送における音声番組に文字や静止画による補足情報を間欠的かつ非同期で多重して伝送することで音声番組のサービス性を向上することができ、多重する情報量は少なくできるので定められた帯域内で多数の番組を伝送することができる。
【００２０】
図８に本発明の他の実施例を示す。図８は、多重する補足情報としていわゆるパーソナルコンピュータ等に用いるソフトウェアを伝送する例を示す。図８で、１８はソフトウェア処理用ＣＰＵ、１９はソフトウェア処理用ＣＰＵ１８の処理結果を表示装置１６に表示できる形式に変換する表示処理手段である。
【００２１】
ディジタル放送では、伝送する内容は全てディジタル信号であるので、音声，映像等と同様に、いわゆるパーソナルコンピュータ等のソフトウェアを伝送することができる。ここでは、パーソナルコンピュータ等のソフトウェアを伝送するチャンネルをデータチャンネルと呼ぶことにする。図８で多重分離手段５で分離されたデータチャンネルの内容はソフトウェア処理用ＣＰＵ１８に印加される。ソフトウェア処理用ＣＰＵ１８は入力されたソフトウェアにしたがって所定の処理を行い、処理結果を表示処理手段１９に印加する。表示処理手段１９はソフトウェア処理用ＣＰＵ１８の処理結果を表示手段１６に表示できる形式にして出力する。データチャンネルで伝送する内容は、例えばいわゆるコンピュータグラフィックスによる静止画像または動画像などが考えられる。尚、動画像であっても、伝送されたソフトウェアをソフトウェア処理用ＣＰＵ１８を用いて処理して得たものなので、例えばテレビカメラで撮影した通常の動画を伝送する場合のように常に信号を伝送する必要はない。すなわち、一旦伝送した後は、伝送される信号がなくてもソフトウェアを処理することでコンピュータグラフィックス等による動画像を表示できる。
【００２２】
本実施例によれば、伝送する情報量をあまり増やさずに音声番組の内容を補足するコンピュータグラフィック等による静止画や動画像等を同時に表示することができ、音声番組のサービス性を向上することができる。
【図面の簡単な説明】
【００２３】
【図１】本発明の送信手段の実施例を示すブロック図。
【図２】本発明の受信手段の実施例を示すブロック図。
【図３】本発明の送信手段の実施例の多重化手段４への入力データストリームと多重化手段４の出力ビットストリームの例を示す説明図。
【図４】本発明の送信手段の実施例における多重化手段４の出力ビットストリームの例を示す説明図。
【図５】本発明の受信手段の実施例における表示画面例を示す説明図。
【図６】本発明の受信手段の実施例における表示画面例を示す説明図。
【図７】本発明の送信手段の実施例におけるビットストリームの例を示す説明図。
【図８】本発明の受信手段の実施例を示すブロック図。
【符号の説明】
【００２４】
１０１，１０２，１０３…情報供給手段、４００…多重化手段、５００…誤り
訂正符号付加手段、６００…変調手段。
【図１】
2007215212.tif 000003
【図２】
2007215212.tif 000004
【図３】
2007215212.tif 000005
【図４】
2007215212.tif 000006
【図５】
2007215212.tif 000007
【図６】
2007215212.tif 000008
【図７】
2007215212.tif 000009
【図８】
2007215212.tif 000010
【手続補正書】
【提出日】平成19年4月12日(2007.4.12)
【手続補正１】
【補正対象書類名】特許請求の範囲
【補正対象項目名】全文
【補正方法】変更
【補正の内容】
【特許請求の範囲】
【請求項１】
パケットヘッダを含むパケット形式の音声番組情報とパケットヘッダを含むパケット形式の文字情報とが多重されたデジタル音声放送を受信する受信手段と、
前記受信手段により受信したデジタル音声放送を復調する復調手段と、
前記復調手段で復調されたデジタル音声放送を音声番組情報と文字情報とに分離する分離手段と、
前記分離手段により分離された音声番組情報を復号する復号手段と、
前記復号手段で復号された音声番組情報を出力する音声出力手段と、
前記分離手段により分離された文字情報を記憶する記憶手段と、
前記記憶手段に記憶した文字情報を表示する表示手段と、
前記パケットヘッダに基づいて前記音声出力手段で出力されている音声番組情報に関連する文字情報を前記表示手段に表示させる処理手段とを有する受信装置。
【請求項２】
パケットヘッダを含むパケット形式の音声番組情報とパケットヘッダを含むパケット形式の文字情報とが多重されたデジタル音声放送を受信する受信手段と、
前記受信手段により受信したデジタル音声放送を復調する復調手段と、
前記復調手段で復調されたデジタル音声放送を音声番組情報と文字情報とに分離する分離手段と、
前記分離手段により分離された音声番組情報を復号する復号手段と、
前記復号手段で復号された音声番組情報を出力する音声出力手段と、
前記分離手段により分離された文字情報を記憶する記憶手段と、
前記記憶手段に記憶した文字情報を表示する表示手段と、
前記パケットヘッダで前記音声出力手段で出力されている音声番組情報と対応付けられた文字情報を前記表示手段に表示させる処理手段とを有する受信装置。
【請求項３】
パケットヘッダを含むパケット形式の音声番組情報とパケットヘッダを含むパケット形式の文字情報とが多重されたデジタル音声放送を受信する受信手段と、
前記受信手段により受信したデジタル音声放送を復調する復調手段と、
前記復調手段で復調されたデジタル音声放送を音声番組情報と文字情報とに分離する分離手段と、
前記分離手段により分離された音声番組情報を復号する復号手段と、
前記復号手段で復号された音声番組情報を出力する音声出力手段と、
前記分離手段により分離された文字情報を記憶する記憶手段と、
前記記憶手段に記憶した文字情報を表示する表示手段と、
前記音声出力手段で出力されている音声番組情報に併せて前記パケットヘッダに基づいて当該音声番組情報に関連する文字情報を前記表示手段に表示させる処理手段とを有する受信装置。